(57)【要約】【課題】クロスの形の枚数が多いために縫製工程数が多く、前身頃側の生地の縫い目がクロスの見映えを損ない且つ各美容室等独自のロゴマークを付するエリアが狭くなっている。【解決手段】身体の胸及び腰の前方を被覆する身体正面部１と、左右の正面側袖部１Ｃと，１Ｄとを、縫い目が一切無い一枚の生地で、各部が一体化された前身頃部として形成する。左右の各背面側後身頃部２，３は、第１及び第２縫い目Ｓ１、Ｓ２並びに第３及び第４縫い目Ｓ３，Ｓ４によって、前身頃部１と縫合されている。更に、衿元部４は、身体正面部１、右手背面側後身頃部２及び左手背面側後身頃３の各々の首回り側部分に、ワイシャツ仕立て処理によって縫合されている。これらの縫合により、従来は縫い目が存在していた前身頃部１の各部ＰＡ，ＰＢ，ＰＣにまで、美容室又は理容室のロゴマークを形成する領域は拡大化される。【選択図】図１
2014180286.tif 000002
【特許請求の範囲】
【請求項１】
（ａ）身体の胸部の前方側領域及び腰部の前方側領域を共に全体的に被覆する前方中央部と、（ｂ）前記胸側部との縫い目無くして前記胸側部と一体化されていると共に右手前方側領域を全体的に被覆する右手正面側袖部と、（ｃ）前記胸側部との縫い目無くして前記胸側部と一体化されていると共に左手前方側領域を全体的に被覆する左手正面側袖部とを備える、一枚の前身頃を成す身体正面部と、
前記身体正面部の前記右手正面側袖部の最上部と第１縫い目を介して全体的に縫合され、且つ、前記右手正面側袖部の最下部と第２縫い目を介して全体的に縫合されることで、右手後方側領域の全域及び身体の背中の前方左側領域を被覆すると共に、前記身体正面部の前記前方中央部の前記腰部前方側領域の右端部分と前記第２縫い目を介して全体的に縫合されることで身体の腰部の後方右側領域を被覆する、右手背面側後身頃部と、
前記身体正面部の前記左手正面側袖部の最上部と第３縫い目を介して全体的に縫合され、且つ、前記左手正面側袖部の最下部と第４縫い目を介して全体的に縫合されることで、左手後方側領域の全域及び身体の背中の前方右側領域を被覆すると共に、前記身体正面部の前記前方中央部の前記腰部前方側領域の左端部分と前記第４縫い目を介して全体的に縫合されることで身体の腰部の後方左側領域を被覆する、左手背面側後身頃部と、
前記身体正面部、前記右手背面側後身頃部及び前記左手背面側後身頃の各々の首回り側部分に縫合されて、面ファスナーにより互いに結合される両端部を有する衿元部と
を備えることを特徴とする、美容・理容用クロス。
【請求項２】
請求項１に記載の美容・理容用クロスであって、
前記衿元部はワイシャツ仕立てにより縫合されている
ことを特徴とする、美容・理容用クロス。
【発明の詳細な説明】
【技術分野】
【０００１】
この発明は、美容室或いは理容室、又は、美容院或いは理容院において使用される、美容・理容用クロスの構成に関する。
【背景技術】
【０００２】
従来、美容室用クロス又は理容室用クロスとして用いられているクロスないしはケープに於いては、左右各々の袖部の形と、１枚の前身頃部と、２枚の後身頃部とが、それぞれ、縫い合わされて、一枚のクロスが形成されている。
【０００３】
又、従来のクロスに於いては、衿元部の形は、各袖部、前身頃部及び各後身頃部の各首回り部に、タック入れ仕立てにより、縫合されている。
【０００４】
尚、本願の発明者は、上記の従来の美容室用クロス又は理容室用クロスの構成に関して記載した特許文献の存在を知らない。
【先行技術文献】
【特許文献】
【０００５】
【特許文献１】特開平１１−２９３５６３号公報
【特許文献２】特開平８−２４２９４２号公報
【特許文献３】実開平６−７９４２２号公報
【特許文献４】実用新案登録第３１５８５４３号公報
【発明の概要】
【発明が解決しようとする課題】
【０００６】
従来の美容室用クロス又は理容室用クロスに於いては、５枚の形をクロスの生地として用いると共に、製造工程に於いて８箇所の縫合作業が必要となる。そのため、クロスの製造工程が複雑と成り、製造コストの低廉化は相対的に難しいと、言わざるを得ない。
【０００７】
しかも、多くの美容室又は理容室では、その店独自のロゴマークをクロスに付することが慣習化されているが、前身頃及び後身頃の双方に、衿元から袖の付け根の部分に亘って比較的長く傾斜しつつ延在した縫い目が製造上不可避的に生じるので、斯かる部分がロゴマークを付する領域を狭くしており、しかも、前方から見た場合に又は鏡に映し出された画面を見た場合の見た目の良さを低減させている。加えて、衿元部のタック入れ仕立てにより、クロスの首回り部分から胸部分に亘る前身頃の上方領域に、クロス生地の余りが「しわしわの形状」になることを防ぐためのタック（プリーツ）が縫合されているために、この領域部分にもロゴマークを付することが難しいという問題点がある。
【０００８】
この発明は、以上に記載した諸問題点を解決すべく成されたものであり、その主目的は、デザイン的により見た目の良い構成を備え且つ縫い目を比較的に少なくしてロゴマークが付される領域が拡大化され且つその耐久性が向上されたクロスを、より低コストで実現することができる、美容・理容用クロスの構造を提案することにある。
【課題を解決するための手段】
【０００９】
この発明の主題に係る美容・理容用クロスは、（ａ）身体の胸部の前方側領域及び腰部の前方側領域を共に全体的に被覆する前方中央部と、（ｂ）前記胸側部との縫い目無くして前記胸側部と一体化されていると共に右手前方側領域を全体的に被覆する右手正面側袖部と、（ｃ）前記胸側部との縫い目無くして前記胸側部と一体化されていると共に左手前方側領域を全体的に被覆する左手正面側袖部とを備える、一枚の前身頃を成す身体正面部と、前記身体正面部の前記右手正面側袖部の最上部と第１縫い目を介して全体的に縫合され、且つ、前記右手正面側袖部の最下部と第２縫い目を介して全体的に縫合されることで、右手後方側領域の全域及び身体の背中の前方左側領域を被覆すると共に、前記身体正面部の前記前方中央部の前記腰部前方側領域の右端部分と前記第２縫い目を介して全体的に縫合されることで身体の腰部の後方右側領域を被覆する、右手背面側後身頃部と、前記身体正面部の前記左手正面側袖部の最上部と第３縫い目を介して全体的に縫合され、且つ、前記左手正面側袖部の最下部と第４縫い目を介して全体的に縫合されることで、左手後方側領域の全域及び身体の背中の前方右側領域を被覆すると共に、前記身体正面部の前記前方中央部の前記腰部前方側領域の左端部分と前記第４縫い目を介して全体的に縫合されることで身体の腰部の後方左側領域を被覆する、左手背面側後身頃部と、前記身体正面部、前記右手背面側後身頃部及び前記左手背面側後身頃の各々の首回り側部分に縫合されて、面ファスナーにより互いに結合される両端部を有する衿元部と、を備えることを特徴とする。
【発明の効果】
【００１０】
本発明の主題によれば、クロスの主たる構成部材を成す生地の数は３枚で良く、しかも、クロスを完成させるための縫い目の部分は４箇所と比較的に少なくなり、従来においては存在した衿元から袖の付け根の部分に亘って比較的長く傾斜しつつ延在した縫い目を存在しなくすることが出来る。
【００１１】
そのため、前方及び後方から当該クロスを眺めた際の見た目が従来よりも向上し、その品質がアップした感覚を見た目により抱かせることが出来る。
【００１２】
しかも、従来の上記の縫い目が存在しなくなったので、各店のロゴマークをクロスに付することが出来る領域を拡大化させることが出来、様々な形状又は寸法のロゴマークをクロスに付することが可能となる。
【００１３】
加えて、前身頃の胸側部分の領域に皺がよりにくくなり、カットした髪の毛がクロスの表面上を滑って落下し易くなり、クロス表面上に留まるカット済みの髪の毛の量を低減させることが可能となる。
【００１４】
更に、クロスの縫い目の数が従来よりも減少するので、構造上、クロスの耐久性を向上化させることも可能である。
【００１５】
以下、本発明の様々な具体化を、添付図面を基に、その効果・利点と共に、詳述する。
【図面の簡単な説明】
【００１６】
【図１】本発明の実施の形態１に係る美容室用クロスの前方側から眺めた正面図である。
【図２】本発明の実施の形態１に係る美容室用クロスの後方側から眺めた背面図である。
【発明を実施するための形態】
【００１７】
（実施の形態１）
＜美容室用クロスの構造＞
【００１８】
図１は、本実施の形態に係る美容室用クロス１０の構成を模式的に示す正面図である。他方、図２は、図１の美容室用クロス１０の構成を後方から眺めた際の模式的な背面図である。尚、図１及び図２に於いては、後述する各縫い目Ｓ１，Ｓ２，Ｓ３，Ｓ４は、最上部又は最下部等に於いて、ミシン目等の様に、間欠的に繋がった１本の糸等の縫合部材を示すが、図示の便宜上、最上部又は最下部等のやや下に位置する破線として模式的に表されている。又、図１及び図２は、本クロス１０の使用時の状態を示す図であり、後述する各部２，３，４が雄型及び雌型の面ファスナーで止められている、美容室用クロス１０の使用状態を、模式的に描いている。
【００１９】
図１及び図２に示す様に、大要、美容室用クロス１０は、１）１枚の生地から成る身体正面部１と、２）一枚の生地から成る右手背面側後身頃部２と、３）一枚の生地から成る左手背面側後身頃部３と、４）衿元部４とから構成されており、ミシン目等の縫い目部により縫合されて一つのクロスを構成している。ここで、「前身傾」を成す部分は、それ自体は縫い目等で他の部分とは一切縫合又は結合されてはいない、一枚の生地のみから成る身体正面部１より成る。この点が、本美容室用クロス１０の第１の特徴点である。更に、衿元部４がワイシャツ仕立てないしはスタンドカラー仕立てにより縫合されている点が、本美容室用クロス１０の第２の特徴点である。
【００２０】
上記の１）〜４）の各部を成す生地の素材ないしは材質は、例えば、ナイロンタフター或いはポリエステルである。
【００２１】
図１に例示される通り、他の形の生地との縫い目が一切無い、一枚の前身頃を成す身体正面部１は、（ａ）前方中央部９、（ｂ）右手正面側袖部１Ｃ、及び、（ｃ）左手正面側袖部１Ｄとから構成される。それらの内で、前方中央部９は、身体の胸部の前方側領域を全体的に被覆する部分１Ａ、及び、当該部分１Ａと連続的に一体化され且つ身体の腰部の前方側領域を全体的に被覆する部分１Ｂから成る。又、身体側から見て胸部の右側に当たる右手正面側袖部１Ｃは、身体の胸側部１Ａとの縫い目が無い状態にて、胸側部１Ａと不離一体化されていると共に、右手前方側領域を全体的に被覆する部分である。又、身体側から見て胸部の左側に当たる左手正面側袖部１Ｄは、身体の胸側部１Ａとの縫い目が無い状態にて、胸側部１Ａと不離一体化されていると共に、左手前方側領域を全体的に被覆する部分である。
【００２２】
従って、図１に実線の枠線で囲んで表わされている領域ＰＡには、従来のクロスに於いては必須の部分として存在した生地同士の縫い目部分が一切存在しない。同じく、図１に実線の枠線で囲んで表わされている領域ＰＢに於いても、従来のクロスに於いては必須の部分として存在した生地同士の縫い目部分が一切存在しない。そのため、首の襟元の右側又は左側の部分から右手側又は左手側の袖の付根部分の最下部に至るまで傾斜して延在していた長い縫い目が、左右両側部分の何れにも存在しない。
【００２３】
この結果、真正面から身体正面部１を眺めた際の見映えが、従来のクロスと比較して、格段に美しく向上しており、美容室内の鏡に映し出された本クロス１０の身体正面部１の見映え（見た目）は、格段に美しい美感を抱かせる。
【００２４】
そして、両部ＰＡ，ＰＢに縫い目が存在しない結果として、両部ＰＡ，ＰＢのエリアにまで、各美容室の独自のロゴマークを付するための領域が拡大化されている。この領域拡大化のため、各美容室によって寸法及び構成等が異なる様々な種類のロゴマークを、より臨機応変に対応可能として且つより美しい仕上がりとして、形成することが出来る。
【００２５】
しかも、両部ＰＡ，ＰＢに縫い目が存在しなく前見頃の部分が一枚の生地のみで構成されるので、身体正面部１の胸側部１Ａには、シワがよりにくく、滑らかな表面が実現される。その結果、縫い目の数が減少して、クロス１０自体の耐久性が従来のクロスと比較して格段に向上されると共に、カットした後の髪の毛がクロス１０の表面上をより一層滑り易くなって、床面に、髪の毛がより一層落下し易くなっている。
【００２６】
そして、図１及び図２に示される様に、右手背面側後身頃部２の最上部は、身体正面部１の右手正面側袖部１Ｃの最上部ＵＳ１と、第１縫い目（ミシン目等）Ｓ１を介して、全体的に縫合されている。加えて、右手背面側後身頃部２の最下部は、右手正面側袖部１Ｃの最下部ＬＳ１と、第２縫い目（ミシン目等）Ｓ２を介して、全体的に縫合されている。これらの縫合により、右手背面側後身頃部２は、使用時には、１）右手後方側領域の全域及び身体の背中の前方左側領域（背中側から背中の前方を見た場合。）を被覆する。更に、右手背面側後身頃部２の腰側端部は、２）身体正面部１の前方中央部９の腰部前方側領域１Ｂの右端部分１ＢＥＡと、連続する第２縫い目Ｓ２を介して、全体的に縫合されている。この縫合により、右手背面側後身頃部２は、使用時には、身体の腰部の後方の右側領域を被覆する。
【００２７】
又、図１及び図２に示される様に、左手背面側後身頃部３の最上部は、身体正面部１の左手正面側袖部１Ｄの最上部ＵＳ２と、第３縫い目（ミシン目等）Ｓ３を介して、全体的に縫合されている。しかも、左手背面側後身頃部３の最下部は、左手正面側袖部１Ｄの最下部ＬＳ２と、第４縫い目Ｓ４を介して、全体的に縫合されている。これらの縫合により、左手背面側後身頃部３は、使用時には、３）左手後方側領域の全域及び身体の背中の前方右側領域を被覆する。更に、左手背面側後身頃部３の腰側端部は、身体正面部１の前方中央部９の腰部前方側領域１Ｂの左端部分１ＢＥＢと、連続する第４縫い目Ｓ４を介して、全体的に縫合されている。この縫合により、左手背面側後身頃部３は、使用時には、身体の腰部の後方左側領域を被覆する。
【００２８】
本クロス１０の使用時に於いては、右手背面側後身頃部２の背中側部分の裏面上に配設された面ファスナー８と、左手背面側後身頃部３の背中側部分の表面上に配設された面ファスナー７との結合により、両背面側後身頃部２，３は、身体の背中側に於いて、結合される。
【００２９】
更に、本クロス１０は、ワイシャツ仕立てないしはスタンドカラー仕立てにより、本クロス１０の前見頃部と後見頃部とに縫合されている衿元部４を備えている。即ち、衿元部４は、身体正面部１、右手背面側後身頃部２及び左手背面側後身頃３の各々の首回り側部分に縫合されている。そして、使用時に於いては、衿元部４の両端部は、同部４の一方端部の表面上に配設された面ファスナー５と、同部４の他方端部の裏面上に配設された面ファスナー６との結合により、互いに結合されている。
【００３０】
この衿元部４は、ワイシャツ仕立てにより首周り部に縫合されているため、従来のクロスには於いては必須であったタッチの縫合を不要とすることが出来る。このため、本クロス１０の前身頃の襟元側部分ないしは首周り側部分ＰＣ（実線で囲まれた領域。）には、上記のタッチが存在しないので、襟元側部分ＰＣは、生地が余ってシワとなる部分を有せず、滑らかな表面領域となる。そのため、襟元側部分ＰＣをも、各美容室の独自のロゴマークを形成するための領域として利用することが出来るので、前身頃部のロゴマーク形成領域を拡大化することが可能となる。しかも、上記のタッチが存在しないので、襟元側部分ＰＣの見た目の良さの向上を図ることも可能となる。
【００３１】
以上の本クロス１０の構成によれば、クロスを形成するために使用される生地の枚数は、従来の５枚から３枚へと減少させることが出来ると共に、縫い目の数も、従来の８箇所から４箇所へと低減化させることが出来るので、見た目の良さの向上、クロスの耐久性の向上及びロゴマーク形成領域の拡大化に加えて、美容室用クロスのコスト低減化を図ることが出来る。
【００３２】
＜美容室用クロス１０の製造方法＞
先ず、身体正面部１と、右手背面側後身頃部２とを結合させるための縫合工程を実行する。
【００３３】
次に、身体正面部１と、左手背面側後身頃部３とを結合させるための縫合工程を実行する。
【００３４】
これらの縫合工程の順序は入れ替わっても良い。
【００３５】
更に、ワイシャツ仕立てにより、衿元部４を身頃の首回り全体に縫合させる縫合工程を実行する。
【００３６】
最後に、面ファスナーの各部を所定の箇所に縫い合わせる工程を実行する。
【００３７】
以上の通り、美容室用クロス１０の縫合工程は、その工程数の減少及び生地数の減少により、従来の工程と比較して、より単純化される。
【００３８】
（付記）
尚、本発明の実施の形態１では美容室用クロスについて記載しているが、本発明の主題は、理容室用クロスに対しても適用可能である。その意味で、本発明の名称は、「美容・理容用クロス」と定義される。
【００３９】
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４０】
この発明は、外観上、見た目の良さが求められる、或いは、美容室又は理容室のロゴマークが付される美容室用クロス又は理容室用クロスに適用して好適なるものである。
【符号の説明】
【００４１】
１０  美容室用クロス
１  身体正面部（前身頃）
１Ａ  身体の胸部の前方側領域
１Ｂ  身体の腰部の前方側領域
１Ｃ  右手正面側袖部
１Ｄ  左手正面側袖部
９  前方中央部
２  右手背面側後身頃部
３  左手背面側後身頃部
４  衿元部
Ｓ１  第１縫い目
Ｓ２  第２縫い目
Ｓ３  第３縫い目
Ｓ４  第４縫い目
５，６，７，８  面ファスナー
【図１】
2014180286.tif 000003
【図２】
2014180286.tif 000004